(57)【特許請求の範囲】
【請求項１】
キーボード，表示部，およびロール紙印字装置を搭載した箱形本体ケースに電源および各種インターフェースに対応する複数の外部接続コネクタを備えた据置型の決済端末装置において、
前記の外部接続コネクタを二つのグループに分けた上で、その第１グループに属するコネクタをロール紙の外形に合わせて本体ケースの内部に形成した凹状のロール紙収納部の後部側コーナースペースに配置すると共に、本体ケースの背面に露出させて一括配備し、第２グループに属するコネクタをロール紙の外形に合わせて本体ケースの内部に形成した凹状のロール紙収納部の前部側コーナースペースに配置すると共に、本体ケースの底部側に形成した凹所の内方に露出するように底面側に配備したことを特徴とする決済端末装置。
【請求項２】
請求項１の決済端末装置において、本体ケースの底面に、第２グループのコネクタ
に接続したケーブルを這わせて本体ケースの背面側に導くケーブル配線溝を形成した
ことを特徴とする決済端末装置。 
【発明の詳細な説明】
【技術分野】
【０００１】
本発明は、店舗向きに好適な据置型の決済端末装置に関し、詳しくはその本体ケースに装備した外部接続コネクタの配置構造に係わる。
【背景技術】
【０００２】
電子マネー等による電子決済システムの端末として頭記の決済端末装置が周知であり、店舗向けに適用する据置型の決済端末装置には、キーボード，表示部，決済内容の明細（レシート）を発行するロール紙印字装置（ラインサーマルプリンタ）を搭載した上で、その本体ケースには電源および各種インターフェースに対応する複数の外部接続コネクタ（ＡＣアダプタ用，ＩＣカードリード／ライタ用，上位センタ用，ＬＡＮケーブル用，モジュラーケーブル用など）を装備しており、前記コネクタにケーブルを介して外部機器と接続するようにしている。
ここで、従来装置では、前記した複数のコネクタを本体ケースの背面側に露出して横並びに配備し、ここに相手側のケーブルを接続するようにした構成が一般的であるが、これとは別に本体ケースの内部に形成したプリンタ用ロール紙の収納部とケース背壁との間のスペースにコネクタを配置した構成も知られている（例えば、特許文献１参照）。また、単体のプリンタについて、その本体ケースの背面に配備のコネクタに接続したケーブルを本体ケースの底面側に設けたケーブル通路を通してケース前面側に引き出すようにしてユーザーの利便性を高めるようにした構成も公知である（例えば、特許文献２参照）。
【特許文献１】特開２００１−３３４７２０号公報
【特許文献２】特開平１１−２９１５８２号公報（図１〜図３）
【発明の開示】
【発明が解決しようとする課題】
【０００３】
ところで、前記のようにコネクタを全て本体ケースの背面側に横配列すると、そのコネクタの数，配置によって本体ケースの外形寸法（横幅）が決定され、コネクタの数が多くなると決済端末装置が大形化する問題がある。
なお、前記の特許文献２に開示されている配線構造は、プリンタをパソコンなどの後方に置いて使用する場合には利便性が得られるが、決済端末装置のようにそれ自身にプリンタを内蔵しているものではケーブル配線に格別な利便性も得られず、また本体ケースの底面側にケーブルコネクタを格納する空間を形成するために本体ケースが背高となる。
本発明は上記の点に鑑みなされたものであり、決済端末装置に装備するコネクタの配置を工夫して装置の小形，コンパクト化が図れるように改良した決済端末装置を提供することを目的とする。
【課題を解決するための手段】
【０００４】
上記目的を達成するために、本発明によれば、キーボード，表示部，およびロール紙印字装置を搭載した箱形本体ケースに電源および各種インターフェースに対応する複数の外部接続コネクタを備えた据置型の決済端末装置において、
前記の外部接続コネクタを例えばユーザーの抜き差し頻度，機能別に二つのグループに分けた上で、その第１グループに属するコネクタをロール紙の外形に合わせて本体ケースの内部に形成した凹状のロール紙収納部の後部側コーナースペースに配置すると共に、本体ケースの背面に露出させて一括配備し、第２グループに属するコネクタをロール紙の外形に合わせて本体ケースの内部に形成した凹状のロール紙収納部の前部側コーナースペースに配置すると共に、本体ケースの底部側に形成した凹所の内方に露出するように底面側に配備するものとした。（請求項1）
また、本体ケースの底面に、前記第２グループのコネクタに接続したケーブルを這わせて本体ケースの背面側に導くケーブル配線溝を形成する（請求項２）。
【発明の効果】
【０００５】
上記のように決済端末装置に付属する各種コネクタをグループ分けした上で、その第１グループに属するコネクタを本体ケースの背面に、残る第２グループに属するコネクタを本体ケースの底面側に振り分けて配備することにより、ケース背面に配列するコネクタの数を減らして本体ケースの小形化が図れる。
しかも、内蔵する印字用ロール紙の外形に合わせて箱形の本体ケース内部に形成した凹状のロール紙収納部の前後コーナーにはデッドスペースが残るので、このスペースを利用してここに第１，第２グループのコネクタを配置することにより省スペース化が図れる。さらに、本体ケースの底面にケーブル配線溝を形成することで、該配線溝内に這わせて第２グループのコネクタに接続したケーブルをケースの背面側に引き出すことができる。
【発明を実施するための最良の形態】
【０００６】
以下、本発明の実施の形態を図１および図２に示す実施例に基づいて説明する。
まず、図１（ａ）〜（ｄ）において、１は下部ケース１−１とカバー１−２からなる本箱形の本体ケース、２はカバー１−１の上面に配備したキーボード、３はキーボード２の背後に配置した表示部、４はプリンタ（ラインサーマルプリンタ）、５はプリンタ４に給紙するロール紙、６，７はプリント基板、８〜１３は電源および各種インターフェースに対応する外部接続コネクタである。
ここで、前記コネクタ８〜１３のうち、コネクタ８〜１１の４個のコネクタを第１グループとしてプリント基板６に取付け、本体ケース１の内部に形成した前記ロール紙５の凹状収納部の後部側コーナースペースに配置した上で、各コネクタの端面が本体ケース１の背面下部に形成した凹所１ａの内方に露出するよう横一列に並べて配置されている。また、残りのコネクタ１２，１３は第２グループとして、前記ロール紙収納部の前部側コーナースペースに配置したプリント基板７に取付けた上で、コネクタの端面が本体ケース１の底部側に形成した凹所１ｂの内方に露出するように横一列に配置されている。さらに本体ケース１の底面には前記凹所１ｂとケース背面との間を連ねてコネクタ１２，１３に対応する２条のケーブル配線溝（凹溝）１ｃが形成されている。
【０００７】
そして、当該決済端末装置の実使用状態では、図２で示すように前記コネクタ８〜１３にケーブルを接続して外部機器との間を配線する。すなわち、第１グループに属するコネクタ８は上位センタとの間でデータ通信を行うためのシリアルコネクタで、該コネクタにはケーブル（ＲＳ−２３２Ｃ）１４が接続される。また、コネクタ９にはケーブル１５を介して保守パソコン１６に接続し、コネクタ１０にはケーブル１７を介して接客部（ＩＣカードリード／ライタ）を接続する。さらに、コネクタ１１は電源用コネクタであり、ＡＣ電源アダプタ１９と電源コード２０を介して電源に接続される。
一方、第２グループに属するコネクタ１２，１３にはＬＡＮケーブル２１，モジュラーケーブル２２を介して電子マネーの管理センタ，外設電話機，電話回線などに接続するようにしており、ここでコネクタ１２，１３に接続したＬＡＮケーブル２１，モジュラーケーブル２２は、本体ケース１の底面に形成した先記ケーブル配線溝１ｃの中を這わして本体ケース１の背面側に引き出すようにしている。
【図面の簡単な説明】
【０００８】
【図１】本発明の実施例に係わる決済端末装置の構成およびコネクタの配置を表す図で、（ａ），（ｂ），（ｃ）はそれぞれ側面図，背面図，底面図、（ｄ）は（ｃ）の矢視Ａ方向から見たコネクタの配置図
【図２】図１の決済端末装置に装備したコネクタに対応するケーブル接続図
【符号の説明】
【０００９】
１    本体ケース
１ｃ  ケーブル配線溝
２    キーボード
３    表示部
４    プリンタ（ロール紙印字装置）
５    ロール紙
８〜１３  コネクタ
【図１】
0004595767.tif 000002
【図２】
0004595767.tif 000003